(57)【要約】【課題】二重構造のカートリッジであっても小型化が可能であり、且つ、遮光性と防塵性を兼ね備えた、特にホログラム媒体等の光による劣化の起き易い情報記録媒体に好適なディスクカートリッジを提供する。【解決手段】インナーケースとアウターケースのディスク収納部における最大横幅に対応する部分を、薄肉部で構成するディスクカートリッジが提供される。インナーケースの最大横幅部分を収納するディスク外形とほぼ同一にするため薄肉部を設け、その部分に対応するアウターケースも薄肉部で構成する。【選択図】図１
2005243118.tif 000002
【特許請求の範囲】
【請求項１】
アウターカートリッジと、前記アウターカートリッジの内側に収納されるインナーカートリッジと、前記インナーカートリッジ内に記録可能なディスクを回転可能に収納するディスクカートリッジであって、
前記インナーカートリッジの一部に前記ディスクの外周形状に沿った曲面部とし、前記アウターケースの前記曲面部に対応する部分を肉薄部としたことを特徴とするディスクカートリッジ。
【請求項２】
請求項１記載のディスクカートリッジにおいて、前記記録可能なディスクがホログラム媒体であることを特徴とするディスクカートリッジ。
【発明の詳細な説明】
【技術分野】
【０００１】
本発明は、光ディスクなどの情報記録媒体を回転可能に収納して記録再生を行うためのディスクカートリッジの構造に係り、特に、ホログラム媒体に好適な遮光性と防塵性を兼ね備えたディスクカートリッジの構造に関する。
【背景技術】
【０００２】
デジタルホログラム記録は、従来の光ディスクとは異なり、記録光と参照光の干渉を利用して、記録層の厚み方向の干渉点に記録し、参照光で干渉点に記録された情報を読み出す方式であり、一回の光照射で大量のデータが記録できる点と相俟って、大容量かつ高速の情報記録/再生が可能である。
【０００３】
従来のホログラム記録に用いる記録媒体は、ニオブ酸リチウム単結晶のようなフォトリフラクティブ結晶と呼ばれる無機単結晶が主体であり、高価格かつ加工困難という問題点を有していた。これに対し、光重合性材料をベースとした有機系ホログラム材料は、上記問題点に対し劇的な改善が期待でき、近年研究が進められている。この有機系のホログラム記録用材料には、記録材料である光重合性材料をその支持媒体となる高分子マトリックスに混合・分散したものが用いられ、記録媒体作成にあたっては、これを溶剤に希釈して塗料とし基板上に塗布するか、あるいはこれをフィルム状に加工して基材に貼付する方法が取られている。
【０００４】
ところで、ホログラム記録においてはレーザーなどの記録光により記録を行うため、記録を行うまでにいかに遮光して未記録の状態で保存しておくかが重要である。例えば特許文献１では、遮光性カートリッジにホログラム媒体を収納し、記録再生装置に装着する際に駆動軸挿入孔とヘッドアクセス孔をシャッターにより開閉して保存時の遮光性を確保する手法が提案されている。また、防塵性を高める手法として、例えば特許文献２のようにカートリッジ構造を二重にすることが提案されている。また、ＩＳＯの５．２５型ＭＯカートリッジと同型状のカートリッジでホログラム媒体を提供する提案がなされている。
【０００５】
【特許文献１】米国特許第５，５２６，３３７号公報
【特許文献２】特開平８−５５４５６号公報
【発明の開示】
【発明が解決しようとする課題】
【０００６】
しかしながら特許文献１記載の技術では、シャッターとカートリッジの間にはシャッターをスライドされるための隙間を設ける必要があり、隙間から収納媒体に直接光が入射する可能性がある。そのため、遮光性、防塵性ともに十分ではない。
【０００７】
また、特許文献２に記載の構造のように二重構造のカートリッジを用い、シャッターを内側のカートリッジと外側のカートリッジの間に介在させる方法によれば、確かにヘッドアクセス孔および駆動軸挿入孔の部分についての遮光性、防塵性ともに問題は解消されるが、その他の部分についてはホログラム媒体を想定していないため、遮光性が問題となり、ホログラム媒体用のカートリッジとしては遮光性が不十分である。さらには、二重構造とするため、カートリッジ自体が収納するディスクの大きさに比べて全体的に大きくなり、ＩＳＯ規格の５．２５型ＭＯのディスクと同じサイズの媒体を、二重構造のカートリッジに収納するには、ＩＳＯ規格の５．２５型ＭＯカートリッジサイズより大きくなってしまう。
【０００８】
本発明は二重構造のカートリッジであっても小型化が可能であり、且つ、遮光性と防塵性を兼ね備えた、特にホログラム媒体等の光による劣化の起き易い情報記録媒体に好適なディスクカートリッジを提供することに有る。
【課題を解決するための手段】
【０００９】
本発明の第１の特徴は、インナーケースとアウターケースのディスク収納部における最大横幅に対応する部分を、薄肉部で構成するディスクカートリッジが提供される。インナーケースの最大横幅部分を収納するディスク外形とほぼ同一にするため薄肉部を設け、その部分に対応するアウターケースも薄肉部で構成することにより、二重構造にしても外形を大きくすることがなく、例えばＩＳＯ規格の５．２５型光磁気ディスクと同型サイズの二重構造カートリッジを提供することができる。
【００１０】
本発明の第２の特徴は、インナーカートリッジとアウターカートリッジの間にシャッターがスライド可能に取り付けられているディスクカートリッジであって、アウターケースにおける上下ケースの接合面と、インナーケースにおける上下ケースの接合面の高さをずらした二重構造のカートリッジケースを提供することに有る。アウターケースにおける上下ケースの接合面と、インナーケースにおける上下ケースの接合面の高さをずらすことにより、ケースの断面が階段状になるため、光や塵埃が直線的に入りにくい構造となるため、結果として遮光性と防塵性を兼ね備えた構造を提供することができる。
【００１１】
本発明の第３の特徴は、シャッターをスライド可能に取り付けるためのスライダーにシャッター位置決め用のピンを設け、シャッターにもこのスライダーのピンを挿入するための孔を設け、スライダーとシャッターを嵌め合わせ、さらにインナーケースとアウターケースの間にシャッターを介在させた二重構造のカートリッジを提供することに有る。シャッターのエッジ部分がインナーカートリッジとアウターカートリッジの間に入ることで遮光性と防塵性を兼ね備えた構造を提供することができる。また、ピンでシャッターの位置決めをし、さらにアウターケースとインナーケースによってシャッターのスライドを規制することにより、ねじなどによるシャッターの固定が不要となり、部品点数を減らすことによりカートリッジを簡易に組み立てることが可能になる。
【００１２】
本発明の第４の特徴は、シャッターの上下側板の連結部がインナーケースとアウターケースの間を介在させ、ケースの外側に露出しない二重構造のカートリッジを提供することに有る。シャッター側板の連結部が外側に露出していないため不用意にシャッターが外れたり、変形したりし、また、シャッターを故意に開閉することを防止できるため、誤って未記録のホログラム媒体に光を当てる懸念がなくなる。
【００１３】
本発明の第５の特徴は、シャッターロック部材の回動部の中心をインナーケース側に設け、アウターケース側にシャッターロックの規制部を設けた二重構造のカートリッジが提供される。シャッターロック部材の回動部の中心をインナーケース側に設け、ロック部材の規制部をアウターケース側に設けることで、シャッターがスライドする際にインナーケースとアウターケースの嵌め合い段差によるスライドへの干渉を考慮する必要がなくなるため、スライダーの形状用途に合わせて自由に設計することが可能になる。
【００１４】
本発明の第６の特徴は、アウターケースに設けたインナーケース位置決め用のピンと、位置決め用のピン挿入孔を設けたインナーケースによる二重構造のカートリッジが提供される。アウターケースとインナーケースに夫々位置決め用のピンと孔を設けることにより、インナーケースとアウターケースの位置決めを容易にするだけでなく、インナーケースの上下ケースを固定するため部材をこのピンと孔で代用することができ、部品点数を減らして組み立てを容易にすることが可能になる。
【００１５】
本発明の第７の特徴は、カートリッジ幅方向の中心付近にシャッターが設けられており、左右どちらか一方向にしかシャッター開閉動作が出来ない構造のカートリッジにおいて、ドライブにシャッター開閉アーム２組と誤挿入防止アームを設け、カートリッジにはアーム逃がしの凹形状と、凹形状の逆方向挿入防止ストッパーを組み合わせて設けることによって、片面記録ディスクが収納された片面仕様カートリッジと、両面記録ディスクが収納された両面仕様カートリッジが混在しても、片面仕様カートリッジは正方向のみの挿入ができ、両面仕様カートリッジは正逆両方の挿入ができることを可能とするシャッター開閉構造を有するカートリッジと、それを記録再生するための装置を提供することに有る。
【発明の効果】
【００１６】
本発明における二重構造のディスクカートリッジを用いることで、遮光性と防塵性に優れ、さらに、二重構造であっても部品点数が少なく、通常のカートリッジと同型サイズの二重構造カートリッジを提供することが可能になり、ホログラム媒体などの高い遮光性が必要となる情報記録媒体用のカートリッジとして好適である。
【発明を実施するための最良の形態】
【００１７】
以下、本発明に従う実施例について説明するが、本発明はこれに限定されるものではない。
【実施例１】
【００１８】
以下、本発明の実施例を図面を用いて説明する。
【００１９】
（二重構造カートリッジの構成）
図１は実施例に係るディスクカートリッジの分解斜視図、図２はそのディスクカートリッジの正面図、図３はそのディスクカートリッジの裏面図である。
【００２０】
本発明の実施例に係るディスクカートリッジは、カートリッジケース１と、スライダー２と、ロック部材３と、シャッター４とから主に構成されている。
【００２１】
前記カートリッジケース１は、インナー上ハーフ５ａとインナー下ハーフ５ｂとからなるインナーケース５と、そのインナーケース５の厚さ方向の外側に配置されたアウター上ハーフ６ａとアウター下ハーフ６ｂとからなるアウターケース６の２重ケース構造になっている。
【００２２】
前記アウター上ハーフ６ａには図１ならびに図２に示されているように、前方のほぼ中央にアウター上ヘッド挿入孔７ａが形成され、前記アウター下ハーフ６ｂには図１ならびに図３に示されているように、前方のほぼ中央にアウター下ヘッドおよびスピンドル挿入孔７ｂが、それぞれ形成されている。
【００２３】
また図１に示すようにアウター下ハーフ６ｂの内面には、前記アウター下ヘッドおよびスピンドル挿入孔７ｂを内側に含んだ広さで一段と低くなった下凹部１０ｂが設けられ、同様にアウター上ハーフ６ａの内面にも図示しない下凹部１０ａが設けられている。この下凹部１０ａ、１０ｂの外形とほぼ対応するように図１に示す如くインナー上ハーフ５ａ、５ｂにも上凹部１１ａ、１１ｂが設けられている。この下凹部１０ａ、１０ｂと上凹部１１ａ、１１ｂによってインナー上ハーフ５ａとアウター上ハーフ６ａの間、およびインナー下ハーフ５ｂとアウター下ハーフ６ｂの間にシャッター４の上下平板部４ａ、４ｂが摺動する隙間が形成されるとともに、シャッター４の摺動範囲が規制されている。
【００２４】
アウター上ハーフ６ａおよびアウター下ハーフ６ｂは夫々同じ厚みで構成するが、インナー上ハーフ５ａおよびインナー下ハーフ５ｂは厚みの比率を異ならせる。このように構成することにより、図１０に示すようにインナーカートリッジとアウターカートリッジに段差を設けることで、遮光性と防塵性を高める構造にすることができる。
【００２５】
アウターカートリッジ６と、前記アウターカートリッジ６の内側に収納されるインナーカートリッジ５と、前記インナーカートリッジ５内に記録可能なディスクを回転可能に収納するカートリッジケースにおいて、前記インナーカートリッジ５の一部に前記ディスクの外周形状に沿った曲面部１８を設ける、また、前記アウターカートリッジ６の前記曲面部１８に対応する部分を肉薄部１９としたことにより、同じ幅寸法のインナーカートリッジよりも大きな径のディスクを収納させることができる。
【００２６】
（スライダーとシャッターの取り付け）
シャッター４は、上下平板部４ａ、４ｂと連結部４ｃから構成される。シャッター４はスライダー２に組み合わされ、インナー上ハーフ５ａに各々設けられたスライダー用レールＡ１７ａとインナー下ハーフ５ｂに設けられたスライダー用レールＢ１７ｂに沿って摺動する。
【００２７】
シャッター４はスライダー２に設けられたスライダー位置決め突起２ａと、シャッター４の連結部４ｃに設けられた突起２ａを嵌めるための孔４ｄによって図２に示す正面方向に対して左右方向に位置規制される。またアウターカートリッジ６によって図２に示す正面方向に対して上方向の位置が規制される。
【００２８】
シャッター４の連結部４ｃは、アウター上ハーフ６ａとアウター下ハーフ６ｂに設けられたアウター上ヘッド挿入孔７ａとアウター下ヘッドおよびスピンドル挿入孔７ｂの端部を形成するブリッジ８ａ、８ｂにより覆われており、露出部がほとんどない。また、シャッターが開状態のときは、インナーカートリッジ５とアウターカートリッジ６の間にスライドして、シャッター全体が表面に露出しない構造となる。このような構造をとることにより、不用意にシャッターが開くのを防止することができる。
【００２９】
（ロック機構）
シャッター４と前記シャッター４を摺動可能とするために前記シャッター４が組み付けられたスライダー２が全閉の位置でロックされるように前記スライダー２と契合するロック部材３と、インナーカートリッジ５とアウターカートリッジ６からなる二重カートリッジにおいて、ロック部材３の回動部中心３ａをインナーカートリッジ５内に設け、アウターカートリッジ６にロック部材３の規制部６ｃを設けることで、スライダー２がシャッター４開閉のために摺動する面にインナーカートリッジ５とアウターカートリッジ６の不用意な嵌め合い段差が発生しない。ロックが解除されシャッター４がスライドする際に、スライダー２がインナーカートリッジ５とアウターカートリッジ６の嵌め合い段差によるスライドへの干渉を考慮する必要がなくなるため、スライダーの形状用途に合わせて自由に設計することが可能になる。
【００３０】
（誤挿入防止機構）
本発明の実施例に係るディスクカートリッジを記録再生する図示しないドライブにはシャッター開閉アーム１３と誤挿入防止アーム１４が設けられている。シャッター４を開閉させるためにカートリッジケース１に組み込まれているスライダー２に当接する位置にシャッター開閉アーム１３が設けられており、またシャッター４全開時に、シャッター開動作を行わなかったもう一方のシャッター開閉アーム１３と誤挿入防止アーム１４が入り込むアーム逃がし凹形状１５が設けられている。さらに、片面仕様のカートリッジケース１には逆方向挿入時に誤挿入防止アーム１４が引っ掛る凹形状の逆方向挿入防止ストッパー１６が設けられている。
【００３１】
ここでは便宜上、カートリッジケース１を正方向の挿入方向に対して右下側に設けられたシャッター開閉アーム１３を開閉アームＡ１３ａ、左上側に設けられたシャッター開閉アーム１３を開閉アームＢ１３ｂと称する。
【００３２】
図７に片面仕様のカートリッジケースのシャッター閉状態を示す。片面仕様のカートリッジケースが挿入されたとき、図８に示すように、正方向の挿入では開閉アームＡ１３ａはシャッター４を開動作し、開閉アームＢ１３ｂおよび逆挿入防止アーム１４はカートリッジケース１のドライブ挿入方向の面を滑り、シャッター４全開時付近でアーム逃がし凹形状１５に入り込みシャッター４が全開する。逆方向への挿入時は、図９に示すように、誤挿入防止アーム１４が誤挿入防止ストッパー１６に引っ掛りそれ以上挿入できない。
【００３３】
両面仕様のカートリッジケース１が挿入されたときは、正方向の挿入時では片面仕様のカートリッジケース挿入と同様に開閉アームＡ１３ａはシャッター４を開動作し、開閉アームＢ１３ｂおよび誤挿入防止アーム１４はカートリッジケース１のドライブ挿入方向の面を滑り、シャッター４全開時付近でアーム逃がし凹形状１５に入り込みシャッター４が全開する。逆方向の挿入は、開閉アームＢ１３ｂがシャッター４を開動作し、開閉アームＡ１３ａおよび誤挿入防止アーム１４はカートリッジケース１のドライブ挿入方向の面を滑り、シャッター４全開時付近でアーム逃がし凹形状１５に入り込みシャッター４が全開する。
【図面の簡単な説明】
【００３４】
【図１】本発明の実施例に係るディスクカートリッジの分解斜視図である。
【図２】本発明の実施例に係るディスクカートリッジの正面図である。
【図３】本発明の実施例に係るディスクカートリッジの裏面図である。
【図４】本発明の実施例に係るディスクカートリッジのシャッター閉状態を示す図である。
【図５】本発明の実施例に係るディスクカートリッジのシャッター開状態を示す図である。
【図６】本発明の実施例に係るディスクカートリッジのシャッター全開状態を示す図である。
【図７】本発明の実施例に係る誤挿入防止機能の正方向挿入時におけるシャッター閉時の状態を示す図である。
【図８】本発明の実施例に係る誤挿入防止機能の正方向挿入時におけるシャッター全開時の状態を示す図である。
【図９】本発明の実施例に係る誤挿入防止機能の逆方向挿入時における状態を示す図である。
【図１０】本発明の実施例に係るインナーカートリッジとアウターカートリッジの段差部を示す拡大図である。
【図１１】本発明の実施例に係るディスクカートリッジのロック機構部の拡大図である。
【図１２】本発明の実施例に係るディスクカートリッジのロック機構部の拡大図である。
【図１３】本発明の実施例に係る内外カートリッジにおけるディスク外周形状に沿った部分の薄肉部形成を示す図である。
【符号の説明】
【００３５】
１    カートリッジケース
２    スライダー
２ａ    スライダー位置決め突起
３    ロック部材
３ａ    ロック部材回動中心
４    シャッター
４ａ    シャッター上板
４ｂ    シャッター下板
４ｃ    シャッター連結板
５    インナーカートリッジ
５ａ    インナー上ハーフ
５ｂ    インナー下ハーフ
６    アウターカートリッジ
６ａ    アウター上ハーフ
６ｂ    アウター下ハーフ
６ｃ    アウターカートリッジロック部材規制部
７ａ    アウター上ヘッド挿入孔
７ｂ    アウター下ヘッド、スピンドル挿入孔
８ａ、８ｂ  ブリッジ
１０ａ、１０ｂ    下凹部
１１ａ、１１ｂ    上凹部
１２    バネ
１３    シャッター開閉アーム
１３ａ    開閉アームＡ
１３ｂ    開閉アームＢ
１４    誤挿入防止アーム
１５    アーム逃がし凹形状
１６    逆方向挿入防止ストッパー
１７ａ    スライダー用レールＡ
１７ｂ    スライダー用レールＢ
１８    インナーカートリッジ曲面部
１９    アウターカートリッジ肉薄部
【図１】
2005243118.tif 000003
【図２】
2005243118.tif 000004
【図３】
2005243118.tif 000005
【図４】
2005243118.tif 000006
【図５】
2005243118.tif 000007
【図６】
2005243118.tif 000008
【図７】
2005243118.tif 000009
【図８】
2005243118.tif 000010
【図９】
2005243118.tif 000011
【図１０】
2005243118.tif 000012
【図１１】
2005243118.tif 000013
【図１２】
2005243118.tif 000014
【図１３】
2005243118.tif 000015